(57)【特許請求の範囲】
【請求項１】
近隣セル測定値の集合のうちの個々の測定値を個々のコードポイントに関連付けること、ただし、前記コードポイントは閾値に関連し、ステップサイズ候補の集合から動的に決定されるステップサイズを定義する、前記関連付けることと、
前記測定値が関連付けられる前記コードポイントを測定報告にコンパイルすることと、
前記測定報告をネットワークに送信することと、
を含む、方法。
【請求項２】
前記ステップサイズは、前記コードポイント同士の間隔がどのくらい狭くなるかに関して粒度を規定し、前記ステップサイズは、前記測定報告の送信先であるサービングセルから受信される、請求項1に記載の方法。
【請求項３】
前記コードポイントのうちの2つ以外の少なくとも全てについて同一である1つのステップサイズが存在する、請求項1または2のいずれかに記載の方法。
【請求項４】
前記ステップサイズ候補の集合は、2dBおよび3dBを含み、前記コードポイントは、基準信号受信電力または基準信号受信品質のいずれかの範囲を規定する、請求項1または2のいずれかに記載の方法。
【請求項５】
ゼロから7までインデックスが付された8個のコードポイントが存在し、各n番目のコードポイントは、下側コードポイントから前記ステップサイズのn倍までの領域によって境界付けられ、各領域の上側の境界は前記n番目のコードポイントには含まれず、nは、コードポイント1から7まで変動する整数である、請求項1または2のいずれかに記載の方法。
【請求項６】
アイドルモードとは対照的であるアクティブモードで動作するユーザ装置によって実行される、請求項1または2のいずれかに記載の方法。
【請求項７】
前記測定報告の送信先であるサービングセルから、オフセット値を含むMEASUREMENT INFORMATIONメッセージを受信することと、前記オフセット値から前記閾値を判断することとをさらに含む、請求項1または2のいずれかに記載の方法。
【請求項８】
前記測定報告は、前記測定報告が取得された中心周波数に関連する、請求項1または2のいずれかに記載の方法。
【請求項９】
前記近隣セルのうちの少なくとも1つは、E-UTRANシステムのアクセスノードであり、コードポイントに関連付けられた前記近隣セルは、前記方法を実行するユーザ装置のローカルメモリに格納されたブラックリストに存在しないことに少なくとも基づいて、前記測定報告に含めるように選択される、請求項1または2のいずれかに記載の方法。
【請求項１０】
コンピュータのプロセッサにより実行されることにより、該コンピュータに、
近隣セル測定値の集合のうちの個々の測定値を個々のコードポイントに関連付けること、ただし前記コードポイントは閾値に関連し、ステップサイズ候補の集合から動的に決定されるステップサイズを定義する、前記関連付けることと、
前記測定が関連付けられる前記コードポイントを測定報告にコンパイルすることと、
を含む、動作を実行させるように構成される、コンピュータプログラム。
【請求項１１】
前記動作は、
ネットワークサービングセルからのMEASUREMENT INFORMATIONメッセージから受信されるオフセット値から、前記閾値を判断することと、
前記測定報告を前記ネットワークサービングセルに送信することであって、前記ステップサイズは、前記コードポイント同士の間隔がどのくらい狭くなるかに関する粒度を規定し、前記ステップサイズは、前記サービングセルから受信される、請求項10に記載のコンピュータプログラム。
【請求項１２】
少なくとも1つのプロセッサと、コンピュータ可読命令を格納する少なくとも1つのメモリとを備える装置であって、前記コンピュータ可読命令は、前記プロセッサに実行されることにより、前記装置に、
近隣セル測定値の集合のうちの個々の測定値を個々のコードポイントに関連付けること、ただし前記コードポイントは、閾値に関連し、ステップサイズ候補の集合から動的に決定されるステップサイズを定義する、前記関連付けることと、
前記測定値が関連付けられる前記コードポイントを測定報告にコンパイルすることと、
前記測定報告をネットワークに送信することと、
を実行させるように構成される、装置。
【請求項１３】
前記ステップサイズは、前記コードポイント同士の間隔がどのくらい狭くなるかに関する粒度を規定し、
前記装置は、前記測定報告を前記ネットワークに送信するように構成された送信機と、前記測定報告の送信先であるサービングセルから前記ステップサイズを受信するように構成された受信機とをさらに備える、
請求項12に記載の装置。
【請求項１４】
前記コードポイントのうちの2つ以外の少なくとも全てについて同一である1つのステップサイズが存在する、請求項12または13のいずれかに記載の装置。
【請求項１５】
前記ステップサイズ候補の集合は、2dBおよび3dBを含み、前記コードポイントは、基準信号受信電力または基準信号受信品質のいずれかの範囲を規定する、請求項12または13のいずれかに記載の装置。
【請求項１６】
ゼロから7までインデックスが付された8個のコードポイントが存在し、各n番目のコードポイントは、下側コードポイントから前記ステップサイズのn倍までの領域によって境界付けられ、各領域の上側の境界は前記n番目のコードポイントには含まれず、nは、コードポイント1から7まで変動する整数である、請求項12または13のいずれかに記載の装置。
【請求項１７】
アイドルモードとは対照的であるアクティブモードで動作するユーザ装置を備える、請求項12または13のいずれかに記載の装置。
【請求項１８】
前記測定報告の送信先であるサービングセルから、オフセット値を含むMEASUREMENT INFORMATIONメッセージを受信するように構成された受信機をさらに備え、前記少なくとも1つのプロセッサは、前記オフセット値から前記閾値を判断するように構成される、請求項12または13のいずれかに記載の装置。
【請求項１９】
前記測定報告は、前記測定報告が取得された中心周波数に関連する、請求項12または13のいずれかに記載の装置。
【請求項２０】
前記近隣セルのうちの少なくとも1つは、E-UTRANシステムのアクセスノードであり、
前記メモリは、ブラックリストをさらに格納し、コードポイントに関連付けられた前記近隣セルは、前記格納されたブラックリストに存在しないことに少なくとも基づいて、前記測定報告に含めるように選択される、
請求項12または13のいずれかに記載の装置。
【請求項２１】
近隣セル測定値の集合のうちの個々の測定値を個々のコードポイントに関連付ける処理手段、ただし、前記コードポイントは閾値に関連し、ステップサイズ候補の集合から動的に決定されるステップサイズを定義する、前記処理手段と、
前記測定が関連付けられる前記コードポイントを測定報告にコンパイルする処理手段と、
前記測定報告をネットワークに送信する送信手段と、
を備える、装置。
【請求項２２】
前記処理手段は、少なくとも1つのプロセッサを備え、前記送信手段は、少なくとも1つの送信機を備える、請求項21に記載の装置。
【請求項２３】
ステップサイズ候補の集合から選択されたコードポイントステップサイズをユーザ装置に送信することと、
近隣セル測定値の集合に含まれる個々の測定値に各々関連付けられるコードポイントの集合を含む測定報告を、前記ユーザ装置から受信すること、ただし前記コードポイントは閾値に関連する、前記受信することと、
前記受信した測定報告に基づいて、前記測定報告の送信元である前記ユーザ装置のハンドオーバのために、前記近隣セルのうちの1つを選択することと、
を含む、方法。
【請求項２４】
前記ステップサイズは、前記コードポイント同士の間隔がどのくらい狭くなるかに関する粒度を規定し、前記ステップサイズは、動的に決定される、請求項23に記載の方法。
【請求項２５】
前記コードポイントのうちの2つ以外の少なくとも全てについて同一である1つのステップサイズが存在する、請求項23または24のいずれかに記載の方法。
【請求項２６】
前記ステップサイズ候補の集合は、2dBおよび3dBを含み、前記コードポイントは、基準信号受信電力または基準信号受信品質のいずれかの範囲を規定する、請求項23または24のいずれかに記載の方法。
【請求項２７】
前記ユーザに対するサービングセルとして機能する無線ネットワークのノードによって実行される、請求項23または24のいずれかに記載の方法。
【請求項２８】
前記閾値の判断元であるオフセットを含むMEASUREMENT INFORMATIONメッセージを、前記ユーザ装置に送信すること、
をさらに含む、請求項23または24のいずれかに記載の方法。
【請求項２９】
前記閾値は、ハンドオーバ閾値およびセル再選択閾値のうちの少なくとも1つである、請求項23または24のいずれかに記載の方法。
【請求項３０】
ブラックリストを前記ユーザ装置に送信することをさらに含み、
前記近隣セルのうちの少なくとも1つは、E-UTRANシステムのアクセスノードであり、
コードポイントに関連付けられた前記近隣セルは、前記ブラックリストに存在しないことに少なくとも基づいて、前記測定報告に含めるように選択される、
請求項23または24のいずれかに記載の方法。
【請求項３１】
コンピュータのプロセッサにより実行されることにより、該コンピュータに、  
ステップサイズ候補の集合から選択されたコードポイントステップサイズをユーザ装置に送信することと、
近隣セル測定値の集合に含まれる個々の測定値に各々関連付けられるコードポイントの集合を含む測定報告を、前記ユーザ装置から受信すること、ただし前記コードポイントは閾値に関連する、前記受信することと、
前記受信した測定報告に基づいて、前記測定報告の送信元である前記ユーザ装置のハンドオーバのために、前記近隣セルのうちの1つを選択することと、
を含む動作を実行させる、コンピュータプログラム。
【請求項３２】
前記ステップサイズは、前記コードポイント同士の間隔がどのくらい狭くなるかに関する粒度を規定し、
前記動作は、前記閾値の判断元であるオフセットを含むMEASUREMENT INFORMATIONメッセージを、前記ユーザ装置に送信することをさらに含む、
請求項31に記載のコンピュータプログラム。
【請求項３３】
少なくとも1つのプロセッサと、コンピュータ可読命令を格納する少なくとも1つのメモリとを備える装置であって、前記コンピュータ可読命令は、前記プロセッサに実行されることにより、前記装置に、
ステップサイズ候補の集合から選択されたコードポイントステップサイズをユーザ装置に送信することと、
近隣セル測定値の集合に含まれる個々の測定値に各々関連付けられるコードポイントの集合を含む測定報告を、前記ユーザ装置から受信すること、ただし前記コードポイントは閾値に関連する、前記受信することと、
前記受信した測定報告に基づいて、前記測定報告の送信元である前記ユーザ装置のハンドオーバのために、前記近隣セルのうちの1つを選択することと、
を実行させるように構成される、装置。
【請求項３４】
前記ステップサイズは、前記コードポイント同士の間隔がどのくらい狭くなるかに関する粒度を規定し、前記ステップサイズは、動的に決定される、請求項33に記載の装置。
【請求項３５】
前記コードポイントのうちの2つ以外の少なくとも全てについて同一である1つのステップサイズが存在し、前記コードポイントは、基準信号受信電力または基準信号受信品質のいずれかの範囲を規定し、前記ステップサイズ候補の集合は、2dBおよび3dBを含む、請求項33または34のいずれかに記載の装置。
【請求項３６】
前記閾値の判断元であるオフセットを含むMEASUREMENT INFORMATIONメッセージを、前記ユーザ装置に送信するように構成された送信機をさらに備える、請求項33または34のいずれかに記載の装置。
【請求項３７】
前記閾値は、ハンドオーバ閾値およびセル再選択閾値のうちの少なくとも1つである、請求項33または34のいずれかに記載の装置。
【請求項３８】
ブラックリストを前記ユーザ装置に送信するように構成された送信機をさらに備え、
前記近隣セルのうちの少なくとも1つは、E-UTRANシステムのアクセスノードであり、コードポイントに関連付けられた前記近隣セルは、前記ブラックリストに存在しないことに少なくとも基づいて、前記測定報告に含めるように選択される、請求項33または34のいずれかに記載の装置。
【請求項３９】
ステップサイズ候補の集合から選択されたコードポイントステップサイズをユーザ装置に送信する送信手段と、
近隣セル測定値の集合に含まれる個々の測定値に各々関連付けられるコードポイントの集合を含む測定報告を、前記ユーザ装置から受信する受信手段であって、前記コードポイントは閾値に関連する、前記受信手段と、
前記受信した測定報告に基づいて、前記測定報告の送信元である前記ユーザ装置のハンドオーバのために、前記近隣セルのうちの1つを選択する処理手段と、
を備える、装置。
【請求項４０】
前記ステップサイズは、前記コードポイント同士の間隔がどのくらい狭くなるかに関する粒度を規定し、
前記送信手段は、前記閾値の判断元であるオフセットを含むMEASUREMENT INFORMATIONメッセージを、前記ユーザ装置に送信する、
請求項39に記載の装置。
【発明の詳細な説明】
【技術分野】
【０００１】
本発明の例示的かつ非限定的な実施形態は、概して、無線通信システム、方法、機器、およびコンピュータプログラムに関し、より具体的には、無線通信システムにおける近隣セルの測定報告、特に、RAT間セル測定（例えば、GERANにおけるE-UTRANセルの報告）に関する。
【背景】
【０００２】
本項は、請求項に列挙される本発明の背景または内容を提供することを目的とする。本明細書における説明は、追求されてもよい概念を含み得るが、必ずしも過去に着想または追求された概念ではない。したがって、本明細書において別途明示されない限り、本項に記載されるものは、本出願における説明および請求項に対する従来技術ではなく、また本項に含めることで従来技術であると認められるものでもない。
【０００３】
本明細書および/または図面で使用されている略語を、以下の通り定義する。
3GPP：  第3世代パートナーシッププロジェクト（third generation partnership project）
BCCH：  ブロードキャスト制御チャネル（broadcast control channel）
BSC：  基地局制御器（base station controller） 
BSIC ：  基地局識別コード（base station identity code）
BSS：  基地局サブシステム（base station subsystem）
BTS：  無線基地局（base transceiver station）
DL：  ダウンリンク（downlink）（BTS/eNBからUEに向かう）
EDGE：  GSM進化のための強化型データ速度（enhanced data rates for GSM evolution）
eNB：  EUTRANノードB（EUTRAN Node B）（進化型ノードB、基地局/アクセスノード）
E-UTRAN：  進化型UMTS無線アクセスネットワーク（evolved UMTS radio access network）（LTE/3.9Gとも呼ばれる）
FDD：  周波数分割多重（frequency division duplex）
GERAN：  GSM/EDGE無線アクセスネットワーク（GSM / EDGE radio access network）（2.5Gとしても知られる）
GSM：  モバイル通信のためのグローバルシステム（global system for mobile communications）
ID：  識別（identity）
LTE：  長期的進化（long term evolution）
MS：  移動局（mobile station）（UEとも呼ばれる）
NB：  ノードB（node B）（基地局/アクセスノード）
PCID：  物理層セルID（physical layer cell ID）
RAT：  無線アクセス技術（radio access technology）
RSRP：  基準信号受信電力（reference signal received power）
RSRQ：  基準信号受信品質（reference signal received quality）
SC-FDMA：  単一搬送波、周波数分割多元接続（single carrier, frequency division multiple access） 
TDD：  時分割多重（time division duplex）
TTI：  伝送時間間隔（transmission time interval）
UE：  ユーザ装置（user equipment）（MSとも呼ばれる）
UL：  アップリンク（uplink）（UEからeNBに向かう）
UMTS：  ユニバーサルモバイル電気通信システム（universal mobile telecommunication system）
UTRAN：  UMTS無線アクセスネットワーク（UMTS radio access network）（3Gとしても知られる）
【０００４】
進化型UTRAN（evolved UTRAN; E-UTRAN、UTRAN-LTEまたはE-UTRAとも言われる）として知られる通信システムは、3GPPにおいて現在開発中である。現在規定されているように、DLアクセス方式は、直交周波数分割多元接続（orthogonal frequency division multiple access; OFDMA）となり、ULアクセス方式は、単一搬送波、周波数分割多元接続（single carrier, frequency division multiple access; SC-FDMA）となるであろう。
【０００５】
興味深い仕様の1つとしては3GPP TS 36.300, V8.6.0 (2008-09), 3rd Generation Partnership Project; Technical Specification Group Radio Access Network; Evolved Universal Terrestrial Radio Access (E-UTRA) and Evolved Universal Terrestrial Access Network (E-UTRAN); Overall description; Stage 2 (Release 8)が挙げられ、本明細書の構成の一部としてここにこの仕様全体を参照する。
【０００６】
図1は、UmリンクにおけるGERANシステムの無線基地局BTSの制御下にある移動局MSの略図である。GERANシステムでは、BTSは基地局制御器BSCの制御下にあり、図に示されているように、少なくともGbおよびAインターフェースを介してGSM/UMTSコアネットワークと通信する。また図1には、6つの近隣アクセスノードが示されており、そのうちのいくつかはGERAN BTSであり、いくつかはUTRAN NBであり、いくつかはE-UTRAN eNBである。MSはUmインターフェースを有するサービングGERAN BTSを測定し、また、MSに適合する全ての無線アクセス技術RATの近隣アクセスノードを測定し、サービングBTSに測定報告を送信する。同様に、MSはUTRANネットワークの制御下にあってもよく、そのサービングUTRAN NBの測定報告だけではなく、近接するGERAN BTSおよびE-UTRAN eNBの測定報告をも、UTRANネットワークのサービングNBに送信する。これらのRAT間測定報告のいずれも例示的であるが、これらの教示の実施形態の環境を限定するものではない。
【０００７】
新しい無線技術（RAT）としてE-UTRANを採用することで、既存のRAT間の相互作用を開発し、図１に示す環境のようにレガシーシステムとE-UTRANインフラストラクチャシステムとの両方のシステム内においてモバイル端末が動作すること、およびユーザ装置UE（図1においてMSと図示する）による近隣セルの測定報告を可能にする必要性がある。E-UTRANセルの測定報告は、3GPP Release 8において標準化されたことで、GERAN/E-UTRAN相互作用の重要な側面と認識される。
【０００８】
GERAN#38bis（本願PCT出願時の優先権主張番号61/198,859（米国）、優先日2008年11月10日に添付の別紙Ａ： MEASUREMENT REPORTING FOR GERAN / E-UTRAN INTER- WORKING; 3GPP TSG GERAN2#38bis, Xi'an, China; June 24-27, 2008; ; by Nokia Corporation & Nokia Siemens Networks)におけるE-UTRAN近隣セルにブラックリスト・アプローチを採用するという合意により、（特に、第３章におけるハンドオーバまたはセル再選択候補として考慮すべきではない近隣セルのみが信号伝達されることの記述を参照）、許容セルのIDは明示的には送信されず、従ってモバイルユニットは測定報告においてセルを単純にインデックス化することができないが、GERANセルまたはUTRANセルの最新の近隣セル報告に用いられるホワイトリスト・アプローチではそれが可能である。
【０００９】
これは、E-UTRANセルの全物理層セル識別（physical layer cell identity; PCID）を測定報告に含める必要があることを意味する。このことは、E-UTRANセルの近隣セル測定報告の効率を下げると考えられる。このブラックリスト・アプローチが実際に効率的であるか否かにかかわらず、これは、RAT間測定報告を前進させるために合意された枠組みである。結果として、この新しい測定報告メッセージの設計方法は、最良の報告効率を得る必要がある。
【００１０】
モバイル端末へのE-UTRAN導入の影響を低く抑えるために、GERANはレガシー測定報告メッセージフォーマットを再び用いることを想定している。レガシー測定報告メッセージフォーマットとは、専用モードまたはデュアル転送モードにおけるMEASUREMENT REPORTまたはENHANCED MEASUREMENT REPORT、またはGERANとE-UTRANとの間のパケット転送モードにおけるPACKET MEASUREMENT REPORTまたはPACKET ENHANCED MEASUREMENT等である。
【００１１】
既存の測定報告メッセージフォーマットの再利用により、これらの既存フォーマットに適合させるために、報告自体に必然的に制限が課される。具体的には、E-UTRANセルのIDがPCIDにより表されるのだが、これは9ビットを必要とし、GERANにおけるBSIC識別に使用するよりも3ビット多くなる。結果として、GERANセルまたはUTRANセルの報告に使用する際の測定報告量は6ビットであるため、E-UTRANセルについて報告する場合にこの手法を可能にするためには3ビットに縮めなければならない。この点に関するさらなる詳細は、上述の文書G2-080368の第4章およびG2-080510：ENHANCED MEASUREMENT REPORTING FOR LTE; 3GPP TSG GERAN2#39bis, Sophia-Antipolis, France, Sept 30th - Oct 3rd 2008; by Nokia Corporation & Nokia Siemens Networksの第2.4章および第3章に見られ得る。
【００１２】
報告量の粒度（granularity）の低下については、GERANとRAN4に関して3GPPにおいて現在論じられており、報告品質は3ビットのみである。上記に参照された優先権書類に添付された別紙B、TSGG #38 (08) 1347：ON REPORTING E-UTRAN MEASUREMENTS; 3GPP TSG GERAN Meeting No. 39, Florence, Italy; 25-29 August 2008を参照されたい。ここで報告量は、基準信号受信電力（Reference Signal Received Power; RSRP）または基準信号受信品質（Reference Signal Received Quality; RSRQ ）のいずれかであってもよい。
【００１３】
GERANへの貢献によって、E-UTRANセルについて低下した3ビット粒度報告を採用するための基本ソリューションが提供された。上記に参照された優先権書類に添付された別紙C、GP-081159： ON MEASUREMENT REPORTING FOR GERAN/E-UTRAN INTERWORKING; 3GPP TSG GRAN #39, Florence, Italy; 25-29 August 2008; by Nokia Siemens Networks & Nokia Corporationを参照されたい。3ビット測定量について提案された符号化の原理の1つがGP-081159の図1に示されており、これは本明細書において図2として引用している。
【摘要】
【００１４】
本発明の第1の側面による方法は、近隣セル測定値の集合のうちの個々の測定値を個々のコードポイント（code point；符号化点）に関連付けること、ただし、前記コードポイントは閾値に関連し、ステップサイズ候補の集合から動的に決定されるステップサイズを定義する、前記関連付けることと；前記測定値が関連付けられる前記コードポイントを測定報告に含めることと；前記測定報告をネットワークに送信することと；を含む。
【００１５】
本発明の第2の側面によるメモリは、プロセッサによる実行時に、近隣セル測定値の集合のうちの個々の測定値を個々のコードポイントに関連付けること、ただし前記コードポイントは閾値に関連し、ステップサイズ候補の集合から動的に決定されるステップサイズを定義する、前記関連付けることと；前記測定が関連付けられる前記コードポイントを測定報告に含めることと；を含む動作をもたらすコンピュータ可読命令プログラムを格納する。
【００１６】
本発明の第3の側面による装置は、少なくとも1つのプロセッサと、コンピュータ可読命令を格納する少なくとも1つのメモリとを備える装置であって、前記少なくとも1つのメモリおよび前記コンピュータ可読命令は、前記少なくとも1つのプロセッサとともに、近隣セル測定値の集合のうちの個々の測定値を個々のコードポイントに関連付けること、ただし前記コードポイントは、閾値に関連し、ステップサイズ候補の集合から動的に決定されるステップサイズを定義する、前記関連付けることと；前記測定値が関連付けられる前記コードポイントを測定報告に含めることと；前記測定報告をネットワークに送信することと；を前記装置に少なくとも実行させるように構成される。
【００１７】
本発明の第4の側面による装置は、近隣セル測定値の集合のうちの個々の測定値を個々のコードポイントに関連付ける処理手段、ただし、前記コードポイントは閾値に関連し、ステップサイズ候補の集合から動的に決定されるステップサイズを定義する、前記処理手段と；前記測定が関連付けられる前記コードポイントを測定報告に含める処理手段と；前記測定報告をネットワークに送信する送信手段とを備える。ある実施形態では、前記処理手段は少なくとも1つのプロセッサを備え、前記送信手段は少なくとも1つの送信機を備える。
【００１８】
本発明の第5の側面による方法は、ステップサイズ候補の集合から選択されたコードポイントステップサイズをユーザ装置に送信することと；近隣セル測定値の集合に含まれる個々の測定値に各々関連付けられるコードポイントの集合を含む測定報告を、前記ユーザ装置から受信すること、ただし前記コードポイントは閾値に関連する、前記受信することと；前記受信した測定報告に基づいて、前記測定報告の送信元である前記ユーザ装置のハンドオーバのために、前記近隣セルのうちの1つを選択することと；を含む。
【００１９】
本発明の第6の側面によるメモリは、プロセッサによる実行時に、ステップサイズ候補の集合から選択されたコードポイントステップサイズをユーザ装置に送信することと；近隣セル測定値の集合に含まれる個々の測定値に各々関連付けられるコードポイントの集合を含む測定報告を、前記ユーザ装置から受信すること、ただし前記コードポイントは閾値に関連する、前記受信することと；前記受信した測定報告に基づいて、前記測定報告の送信元である前記ユーザ装置のハンドオーバのために、前記近隣セルのうちの1つを選択することと；を含む動作をもたらすコンピュータ可読命令プログラムを格納する。
【００２０】
本発明の第7の側面による装置は、少なくとも1つのプロセッサと、コンピュータ可読命令を格納する少なくとも1つのメモリと、を備える装置であって、前記少なくとも1つのメモリおよび前記コンピュータ可読命令は、前記少なくとも1つのプロセッサとともに、ステップサイズ候補の集合から選択されたコードポイントステップサイズをユーザ装置に送信することと；近隣セル測定値の集合に含まれる個々の測定値に各々関連付けられるコードポイントの集合を含む測定報告を、前記ユーザ装置から受信すること、ただし前記コードポイントは閾値に関連する、前記受信することと；前記受信した測定報告に基づいて、前記測定報告の送信元である前記ユーザ装置のハンドオーバのために、前記近隣セルのうちの1つを選択することと；を前記装置に少なくとも実行させるように構成される。
【００２１】
本発明の第8の側面による装置は、ステップサイズ候補の集合から選択されたコードポイントステップサイズをユーザ装置に送信する送信手段と；近隣セル測定値の集合に含まれる個々の測定値に各々関連付けられるコードポイントの集合を含む測定報告を、前記ユーザ装置から受信する受信手段であって、前記コードポイントは閾値に関連する、前記受信手段と；前記受信した測定報告に基づいて、前記測定報告の送信元である前記ユーザ装置のハンドオーバのために、前記近隣セルのうちの1つを選択する処理手段と；を備える。
【００２２】
本発明のこれらの側面および他の側面について、以下に具体的に詳述する。
【図面の簡単な説明】
【００２３】
【図１】MSに対するいくつかの近隣アクセスノードがGERANシステムに適合し、同一のMSに対する他の近隣アクセスノードがE-UTRANシステムに適合するGERANシステムアーキテクチャを図示する。
【図２】3ビットの報告分解能低下を考慮する、E-UTRAN測定報告のRSRP符号化を示す文書GP-081159の図1の引用である。
【図３】図2と同様のコードポイント図であり、可変ステップサイズ報告分解能、コードポイント「0」の報告、およびコードポイント「0」の可変ステップサイズを示し、全ては本発明の例示的実施形態に従う。
【図４Ａ】本発明の例示的実施形態を実施する際の使用に適切である種々の電子機器の簡略化ブロック図を示す。
【図４Ｂ】図4Aに示すユーザ装置等のユーザ装置のより詳細なブロック図を示す。
【図５】例えば、測定報告を送信するユーザ装置/移動局の観点等からの、本発明の一例示的実施形態に従う、方法の処理と、コンピュータ可読メモリ上に具体化されたコンピュータプログラム命令の実行の結果とを図示する論理フロー図である。
【図６】例えば、測定報告を受信するネットワークアクセスノードの観点等からの、本発明の一例示的実施形態に従う、方法の処理と、コンピュータ可読メモリ上に具体化されたコンピュータプログラム命令の実行の結果とを図示する論理フロー図である。
【詳細説明】
【００２４】
GERANとE-UTRANとの間の相互作用をスムーズにするために、既存のGERANメッセージ：MEASUREMENT REPORT、PACKET MEASUREMENT REPORT、ENHANCED PACKET MEAUREMENT REPORT、およびPACKET ENHANCED MEASUREMENT REPORTは、GERANおよびE-UTRAN両方の機能を有するモバイル端末/UEでの使用について検討される。上述のように、ブラックリスト上には無いが、明示的に提供された周波数を使用している様々なネットワークセル（アクセスノード）が、ハンドオーバまたはセル再選択が必要になる場合に、（専用モードもしくはデュアル転送モードにおける）ハンドオーバについてまたは（パケット転送モードにおける）セル再選択について有効な候補であるとUEにより検討される、ブラックリスト・アプローチが存在する。このようなハンドオーバまたはセル再選択に対応するために、UEは、上記フォーマットのうちのいずれかに従って、ブラックリスト上に無く、かつ明示的に提供された周波数のうちの少なくとも1つを使用しているこれらの近隣セルに関する測定報告を、そのサービングアクセスノード（例えば、GERAN BTSまたはUTRAN NB）に送信する。E-UTRANにおける中心周波数は、その中心周波数を使用するセルが、時分割多重（TDD）モードまたは周波数分割多重（FDD）モードで動作しているかを非明示的に記述する。
【００２５】
専用モードまたはデュアル転送モードでは、MEASUREMENT REPORTメッセージフォーマットを用いた測定報告は長さが16オクテットであり、UEのハンドオーバについてサービングセルにより評価するために、サービングセルおよび任意の無線アクセス技術RATの最大6つの近隣セルに関する測定報告を送る。現在、測定報告内の測定結果に関して合意されたものは、98のコードポイントを含むRSRPおよび34のコードポイントを含むRSRQであり、1ビットの精度のRSRPを報告するのに7ビット、またはRSRQを報告するのに6ビットを要する。サービングセルにより伝達された情報に基づいて、RSRPまたはRSRQのいずれかがUEより報告される。この場合、他方の測定量は所定の閾値（ハンドオーバまたはセル再選択閾値）を上回る必要がある。この所定の閾値は、サービングセルがブロードキャストチャネルBCCH上でそのセル内にあるUEに送信する。
【００２６】
RSRPが報告され、RSRQがハンドオーバまたはセル再選択のための前記所定の閾値を上回る場合、図2に示されるように、コードポイント（code point；符号化点）「0」がRSRPの信号伝達閾値未満領域に割り当てられる。これは従来技術においては、ハンドオーバ候補になり得ないと考えられるため、報告されない。コードポイント「1」から「6」は信号伝達閾値を上回るRSRPの領域であり、図2に示すように、各々のコードポイントが3dBの提案分解能を有することから、それらが対象とする領域は18dBになる。コードポイント「7」は、信号伝達閾値を上回る18dBを超えるRSRP領域であり、最も有力なハンドオーバ候補であると考えられる。明らかに、現在コードポイント「7」にあるセルを報告するための分解能は最も低くてよく、コードポイント「1」から「6」にあるセルを報告するためにはより高い分解能が提供され、コードポイント「0」については、RSRPが信号伝達閾値を下回るという標示だけがサービングセルに常に報告される。RSRQが報告され、RSRPがハンドオーバまたはセル再選択のための所定の閾値を上回る場合では、RSRQについて同じような符号化が行われてもよい。
【００２７】
図2に示す3ビット報告粒度によって、以下の問題が考えられる。
【００２８】
a. BCCH上で信号伝達されたセル再選択閾値は、アイドルモードのUEに有効であり、ハンドオーバ候補を識別するために、アクティブモードのUEには適さない場合がある。したがってこのような閾値は、独立して規定され、専用のシグナリングを介して（例えば、MEASUREMENT INFORMATIONメッセージを使用して）モバイル端末/UEに伝達されるべきである。この点において該当する教示は、上記に参照された優先権書類に添付された別紙D、R4-082446：LTE MEASUREMENT REPORTING IN GSM; 3GPP SG-RAN WG4 Meeting #48bis; Edinburgh, United Kingdom; 29 September-3 October 2008; by Nokia Corporation & Nokia Siemens Networks)において見られ得る。    
【００２９】
b. 本明細書に添付された図2では、コードポイント「0」は、標示された信号伝達セル再選択閾値を下回る領域を指す。したがって、このコードポイントは、セルが、アクティブモードにあるUEのハンドオーバ候補として適切ではないことを反映する。しかし、報告された近隣セルが閾値に近いのか、閾値をはるかに下回るのかについての区別はされない。ネットワークは、UEにより測定される近隣セルが閾値に極めて近いが閾値を下回るのか、または閾値をはるかに下回るのかという情報が与えられない。また、このコードポイントを有するセルは常に報告されるため、報告を受けるセル（E-UTRAN、GERAN、UTRANセル）の信号伝達容量を減少させてしまう。  
【００３０】
c. 報告は、固定の報告ステップサイズを使用する（本明細書では、コードポイント「1」から「6」について3dBが、3ビットで信号伝達される）。これは、報告領域が18dB以上である場合に有益であるが、報告領域が18dB未満であり、セル同士が近接していて3dBのステップサイズがはっきりしていない場合には最適ではない
【００３１】
d. E-UTRANキャリア周波数が異なれば、報告領域は異なり得る。これは、従来技術ではまだ考慮されていない（例：優先権書類に添付の別紙C、GP-081159参照）。
【００３２】
この分野における大部分の提案は、以下を前提としている。
・  報告量の6ビット分解能を可能にするENHANCED MEASUREMENT REPORTING を使用すること（しかしこの特徴はGERANネットワークにおいて広く使用されていない）。または
・  新しい測定報告メッセージを規定すること（しかしGERAN#39では、新しいメッセージを明示する前にE-UTRAN近隣セル報告のための既存のメッセージを再利用する実現可能性をまず調査することが合意された）。
【００３３】
上記問題点bからdに関連し、これらの教示の例示的実施形態は、4つの異なる特徴を提供する。これらの4つの異なる特徴は、種々の組み合わせで組み合わせてもよく、または個々で用いてもよい。概して言うと、これらの特徴は、1）報告閾値に達しないがそれに近い報告領域を対象とするように、コードポイント「0」を修正すること、2）コードポイント「0」を下回る場合、E-UTRAN近隣セルは、全く報告されないこと、3）RAT間測定報告に対する、適応的報告ステップサイズ（例えば、1つのコードポイントに対応する測定値の領域）が存在すること、4）上記特徴1）から3）について、E-UTRANベース（中心周波数ベース）毎にシグナリングが存在すること、を含む。これらの4つの特徴について、図3を参照しながら以下に具体的に詳述する。
【００３４】
コードポイント「0」（300）は、所定の固定ステップサイズを含む、セル再選択/ハンドオーバ閾値（301）の直下の報告領域を対象とするという点において修正される。一実施形態ではコードポイント「0」（300）のステップサイズ302は予め定められていてもよく、または別の実施形態ではネットワークによって伝達されてもよく、またさらに別の実施形態では、残りのコードポイントのステップサイズ303と同一であってもよい。図3に示す実施形態等の例示的実施形態では、全てのコードポイント（「1」から「6」）は同一のステップサイズ303を有する。ただし最大コードポイント（「7」）および最小コードポイント（「0」）のうちの片方または両方については該当しない。
【００３５】
この特徴は、図2と図3とを比べて説明される。これらの図では、コードポイント「0」はサービングセルに報告される。図中の薄い陰影と濃い陰影は、コードポイント「0」が割り当てられる近接セルが、サービングセルによってハンドオーバまたはセル再選択について有効な候補として考慮されるか（薄い陰影）、考慮されないか（濃い陰影）を示している。図2では、コードポイント「0」は濃い陰影であり、報告されるが既定の閾値301を下回るという単純な理由により、有効なハンドオーバまたはセル再選択候補として考慮されない。しかし、図3では、コードポイント「0」（300）は、薄い陰影であり、依然として既定のハンドオーバ閾値301を下回るが閾値301に近く、サービングセルにおける平均化プロセスにより、有効なハンドオーバまたはセル再選択候補として考えられ得ることをサービングセルに示すように、UEに報告される。概して、信号伝達閾値301は、ネットワーク/BTSによって、セル内のあらゆるUEに伝達される。伝達された閾値は、コードポイント「0」のノミナル値あるいはコードポイント「0」の下側開始領域値、あるいは各コードポイントの実際の領域を明確に規定する任意の他のポイントを提示してもよい。
【００３６】
コードポイント「0」（300）は特定のE-UTRAN近隣セルについて、ハンドオーバまたはセル再選択報告閾値301を下回るという事実にもかかわらず、UEにより常に報告される。これに関連する技術的利点の1つは、ネットワークが平均化のために、あらゆるUEから報告されたコードポイント「0」を利用することができることである。
【００３７】
簡潔に上述したように、所定の閾値は、種々の方式で実装されてもよい。
【００３８】
一実施形態では、コードポイント「0」のようなノミナル値が存在し、信号伝達される。このノミナル値から、既定のセル再選択またはハンドオーバ閾値301がオフセットされる。別の実施形態では、伝達される閾値は、コードポイント「0」とコードポイント「1」との間の境界値（dB）である。この場合、図3において閾値301と直接示される、伝達される既定の閾値は、実際のセル再選択/ハンドオーバ閾値であり、信号伝達される閾値からのオフセットは存在しない。さらに別の実施形態では、信号伝達される閾値は、コードポイント「0」報告領域の下側境界値である（図3では、301'と示される、300と390との間の値であり得る）。これらの各々は、ネットワークによってUEに信号伝達されてもよい。各々は、ネットワークの信号伝達の異なる実装を表現し、ネットワークの信号伝達から、既定の閾値がUEにおいて判断される。信号伝達値または閾値が実際の既定のセル再選択/ハンドオーバ閾値301ではない場合、UEは、セル再選択/ハンドオーバ閾値を、UEが受信する信号伝達された既定の閾値からのオフセットとして判断する。例えば、図3では、ネットワークは、301'に対応する値を伝達してもよく、その値から、UEは、セル再選択/ハンドオーバ閾値として301に示される既定の閾値を満たすようにオフセットする。
【００３９】
上記にまとめた第2の側面では、コードポイント「0」を下回る場合、E-UTRAN近隣セルは、図3および参照番号390において濃い陰影により示されるように、全く報告されない。これは、ハンドオーバまたはセル再選択閾値301をはるかに下回る（コードポイント「0」(300)の少なくともステップサイズ302分だけ離れている）からであり、これは、適切なハンドオーバ候補として考慮されない。この「報告しない」ことの技術的利点の1つとして、コードポイント「0」（参照番号300）を下回るこれらのE-UTRANセル390については、報告してもハンドオーバを実行不可能であるので、その資源を、GERANセルのために（または追加のUTRANまたは他のRATセルのために）確保することが挙げられる。
【００４０】
上にまとめた本発明の第3の側面によると、前記報告は図3が示す適応的報告ステップサイズ303を使用する。これは2dBないし3dBで可変である（非限定例として）。本発明の第3の側面の一実施形態では、報告ステップサイズ303は、例えば、既に受信した前回のE-UTRAN測定報告のネットワークの評価に基づいて、ネットワークにより命令されてもよい。第3の側面の別の実施形態では、報告ステップサイズ303は、そのステップサイズ303をネットワークから明示的に信号伝達せずに、報告されるE-UTRAN近隣セルに関連する測定量（例えば、RSRPまたはRSRQ）の領域から移動局/UEによって導出されてもよい。
【００４１】
本発明のこの第3の側面の例について考察する。RSRPについて2つの報告ステップサイズ303が予め定められている場合（例えば2dBおよび3dB）、移動局/UEは、RSRP値の領域380に基づいて、3dBか2dBのいずれかの報告ステップサイズ303を使用するかを決定する。一例では、この決定は、特に、複数の異なるE-UTRAN近隣セルについてコードポイント「7」（370）を有する報告の数に基づく。UEは、コードポイント「1」から「6」に固有な報告ステップサイズ303をネットワークに示してもよい。例えば、1つ以上の測定報告が、2dBステップで符号化されたコードポイント「7」（370）を得る場合、コードポイント「1」から「6」のステップサイズ303について（また、ステップ303と同一である場合、恐らくはコードポイント「0」について）3dBステップ符号化が選択され、最も強い受信近隣セルについてより良好な分解能を提供する。
【００４２】
ネットワークが信号伝達を介してステップサイズ（303）を命令する実施形態では、UEについて直前に説明したようなアルゴリズムが、UE内部ではなくアクセスノード/基地局において実行され、次いで、決定されたステップサイズを、アクセスノードがセル内のUEに信号伝達し得ることに留意されたい。
【００４３】
上にまとめた本発明の第4の側面によると、例えば、第1の周波数（周波数1）上のマクロセル層および第2の周波数（周波数2）上のマイクロセル層、というように、報告領域380は異なるE-UTRANキャリア周波数では異なり得ることから、DL/ULに関係なく、第1から第3の側面（3つの側面の組み合わせ、任意の２つの組み合わせ、またはいずれか1つの個々の側面のいずれか）は、信号伝達閾値（信号伝達閾値301を表現する「報告領域380下側参照点」）、ステップサイズ302のコードポイント「0」、およびステップサイズ（303）の信号伝達コードポイント「1」から「6」というように、各E-UTRAN中心周波数ベース毎に信号伝達されてもよい。
【００４４】
大まかに述べると、本発明の実施形態は、測定量の圧縮符号化を使用する技術的利益を提供し、これによって、報告されるセルの数が増加する場合に、測定報告の効率が改善される。また、これらの技術的利益は、測定報告効率を改善するために、UTRANや他のモバイル無線（エア）インターフェースにも使用することができる。
【００４５】
いくつかの実施形態では、（限定された）報告領域が、実際のハンドオーバ/セル再選択閾値が範囲の中心にあるように、または少なくとも範囲の中心に近くなるように設定されてもよい。これは、基準がコードポイントゼロのノミナル値に設定される場合や、図3に示す場合とは関係なく、設定されることができる。この手法は、正確なハンドオーバ/セル再選択決定点においてeNBにおける平均値に与える歪みが最小であると考えられる。当然ながら測定値は変動するものであり、ハンドオーバ/セル再選択閾値が、コードポイントゼロの境界ちょうどにある場合は、必然的な信号変動によりコードポイントゼロ領域を少し下回り、いくつかの報告が失われる状況が発生し得ることが予測される。
【００４６】
本明細書に提示されるいくつかの実施形態においては、ステップサイズは動的に制御される。コードポイントゼロのノミナル値の報告領域基準レベルを規定することは最もシンプルである。コードポイントn（例えば1から7）は、コードポイントゼロに上記に詳述した粒度（例えば2dBまたは3dB）のn倍のプラスしたノミナル値を有することができる。次いで、各コードポイントの報告領域は、ノミナル値からステップサイズの半分をマイナスしたものから、ノミナル値にステップサイズをプラスしたものであることができ、ただし低い方の値が含まれ、高い方の値が除外される。その逆でもよい。しかし、最高コードポイント（コードポイント7）について、領域が、無限にまで及び得ることを例外とする。ここで、最小コードポイントは、上述の領域と同一の領域を有してもよい
【００４７】
上記の例について考察する。ノミナル値が-90dBmから-76dBm（2dBステップ）であり、各コードポイントがノミナル値の+/-1dBの報告領域を対象とする場合、閾値は、-90dBm（コードポイントゼロのノミナル値）、-89dBm（図3に示すように、コードポイント0と1との間の境界レベル）、または報告領域内の同じような任意の他のコードポイントを指すように定義されてもよい。理論的には、これはまた、報告領域を超えてもよい。したがって、信号伝達値が2つのコードポイントの境界にあるか、またはハンドオーバ/セル再選択閾値にあるか、または1つ以上の報告領域の中点にあるかかかわらず、これらの教示を実装する多くの方式が存在する。重要な概念は、伝達された値がいくつかの既定の閾値を設定することであり、その閾値からステップサイズおよびコードポイント「0」の領域が発見される。
【００４８】
報告領域を設定するネットワークからUEに伝達されるパラメータやハンドオーバ閾値は、上記例から明らかなように、任意の位置に設定することができることから、あらゆる実施形態においてハンドオーバ/セル再選択閾値を直接標示しなければならないという解釈を回避するために、ハンドオーバ閾値パラメータというよりもむしろ、「報告領域閾値パラメータ」と呼んでもよい。
【００４９】
本発明の上記4つの側面およびその種々の例示的実施形態/変形例のうちの任意の1つ以上を実施する際の使用に適切である種々の電子機器および装置の簡略化ブロック図を示す図4Aを参照されたい。図4Aでは、無線（GERAN）ネットワーク1が、GERANシステムのBTS12等のネットワークアクセスノードを介して、UE10と呼ばれ得るモバイル通信機器等の装置と、無線リンク11上で通信するために採用される。ネットワーク1は、図1と同様に、GERANコアネットワークCN16と通信するネットワーク制御要素（network control element; BSC）14を含み得る。CN16は、BTS12およびBSC14の、近隣E-UTRAN eNBおよび/または幅広いデータ通信ネットワーク（例えば、インターネット）および/または公衆交換電話網を制御するE-UTRANネットワーク等の他のネットワークとの接続性を提供する。UE10は、コンピュータまたはデータプロセッサ（data processor; DP）10A等のコントローラと、コンピュータ命令（PROG）10Cのプログラムを格納するメモリ（MEM）10Bとして具体化されるコンピュータ可読メモリ媒体と、1つ以上のアンテナを介するBTS12との双方向無線通信に適切な無線周波数（radio frequency; RF）送受信機10Dとを含む。また、BTS12も、コンピュータまたはデータプロセッサ（DP）12A等のコントローラと、コンピュータ命令（PROG）12Cのプログラムを格納するメモリ（MEM）12Bとして具体化されるコンピュータ可読メモリ媒体と、1つ以上のアンテナを介するUE10との通信に適切なRF送受信機12Dとを含む。BTS12は、データ/制御経路13を介してBSC14に連結される。経路13は、図1に示すGbインターフェースとして実装されてもよい。また、BTS12は、図1に示すIur-gインターフェースとして実装されてもよいデータ/制御経路15を介して、別のBTSにも連結されてもよい。
【００５０】
PROG10Cおよび12Cのうちの少なくとも1つは、以下により詳細に論じるように、関連するDPによる実行時に、本発明の例示的実施形態に従って機器を動作可能にするプログラム命令を含むように想定される。
【００５１】
すなわち、本発明の例示的実施形態は、UE10のDP10Aによって、および/またはBTS12のDP12Aによって、またはハードウェアによって、またはソフトウェアおよびハードウェア（およびファームウェア）の組み合わせによって実行可能なコンピュータソフトウェアによって、少なくとも部分的に実装されてもよい。
【００５２】
本発明の例示的実施形態を説明するために、UE10は、参照信号測定ユニット10Eも含むように想定されてもよく、前記参照信号測定ユニット10Eは、RSRP/RSPQを測定し、個々の近隣セルからの個々の測定値をコードポイントに関連付け、コードポイントを、アクセスノードに送信される測定報告に含める。さらに、BTS12またはBSC14は、測定報告復号器12Eを含み得、前記測定報告復号器12Eは、測定報告を受信機12Dから受信し、近隣セルの測定値をコードポイントから判断し、これらの近隣セル測定値に基づいて、ハンドオーバ決定を行う。UEを近隣セルのいずれにもハンドオーバしない決定も決定であり、これは、報告されたRSRP/RSPQが、サービングアクセスノードからのハンドオーバを正当化するのに十分強力ではない場合に行われることに留意されたい。ユニット10E/12Eのいずれかは、関連するDP10A/12Aもしくは14A内に、または図4Bに詳述される、より機能の特定されたチップのいずれかに論理的に存在しない場合、機能的に配置されてもよい。
【００５３】
概して、UE10の種々の実施形態には、携帯電話機、無線通信能力を有する携帯情報端末（personal digital assistant; PDA）、無線通信能力を有する携帯型コンピュータ、無線通信能力を有する等の画像取り込み機器、無線通信能力を有するゲーム機、無線通信能力を有する音楽録音および再生機器、無線インターネットアクセスおよび閲覧を可能にするインターネット機器、ならびにこのような機能の組み合わせを組み込む携帯型ユニットもしくは端末が含まれることができるが、これらに限定されない。
【００５４】
コンピュータ可読MEM10Bおよび12B、または14Bは、局所技術環境に適応する任意の型であってもよく、半導体ベースのメモリ機器、フラッシュメモリ、磁気メモリ機器およびシステム、光学メモリ機器およびシステム、固定式メモリおよび着脱式メモリ等の、任意の適切なデータストレージ技術を使用して実装されてもよい。DP10Aおよび12A、または14Aは、局所技術環境に適応する任意の型であってもよく、非限定的な例として、汎用コンピュータ、専用コンピュータ、マイクロプロセッサ、デジタルシグナルプロセッサ（digital signal processor; DSP）、およびマルチコアプロセッサアーキテクチャに基づくプロセッサのうちの1つ以上を含んでもよい。
【００５５】
図4Bは、平面図（左）および断面図（右）の両方において例示的UEのさらなる詳細を図示し、本発明は、これらのより機能の特定された構成要素のうちの1つまたはいくつかの組み合わせで具体化されてもよい。図4Bでは、UE10はグラフィカルディスプレイインターフェース20およびキーパッドとして図示されているユーザインターフェース22を有し、グラフィカルディスプレイインターフェース20におけるタッチスクリーン技術や、マイクロホン24によって受信される音声認識技術を包含するものとしても理解される。電力アクチュエータ26は、ユーザによる機器の電源オンおよびオフを制御する。例示的UE10は、カメラ28を有してもよく、カメラ28は、前方に向くように（例えば、ビデオ通話（テレビ電話）用）示されるが、その代わりに、またはそれとは別に、後方に向いていてもよい（例えば、ローカルストレージへの画像および映像取り込み用）。カメラ28は、シャッターアクチュエータ30によって制御され、任意選択によりズームアクチュエータ30によって制御され、ズームアクチュエータ30は、カメラ28がアクティブモードに無い場合にはスピーカ34の音量調整として機能してもよい。
【００５６】
図4Bの断面図内では、セルラ通信に典型的に使用される複数の送信/受信アンテナ36が示される。アンテナ36は、UEにおける他の無線とともに使用するためのマルチバンドであってもよい。アンテナ36の動作可能な接地板は、UE筺体により包囲された空間全体に及ぶように、陰影によって示されるが、いくつかの実施形態では、接地板はより狭い範囲に限定されてもよく、例えば、電力チップ38を乗せたプリント配線板上に配置されてもよい。電力チップ38は、送信されるチャネル上および/または空間ダイバーシティが用いられる同時送信の複数のアンテナにおける電力増幅を制御し、受信した信号を増幅する。電力チップ38は、増幅された受信信号を無線周波数（radio-frequency; RF）チップ40に出力し、無線周波数チップ40は、ベースバンド処理のために、信号を復調しダウンコンバートする。ベースバンド（baseband; BB）チップ42は信号を検出し、次いで、信号をビットストリームに変換し、最終的に復号する。装置10によって生成され、装置10から送信される信号について、同様の処理が逆の過程で発生する。
【００５７】
カメラ28を出入りする信号は、種々の画像フレームを符号化および復号する画像/映像プロセッサ44を通過する。また、スピーカ34およびマイクロホン24を出入りする信号を制御する独立した音声プロセッサ46も存在し得る。グラフィカルディスプレイインターフェース20は、ディスプレイインターフェース20を出入りする信号を処理し、および/または付加的にキーパッド22および他の場所からのユーザ入力を処理し得るユーザインターフェースチップ50によって制御される際に、フレームメモリ48からリフレッシュされる。
【００５８】
また、UE10のある実施形態は、無線ローカルエリアネットワーク無線WLAN37およびBluetooth(r)無線39等の1つ以上の補助無線も含んでもよく、補助無線は、内部アンテナを組み込み得るか、または外部アンテナに連結されてもよい。装置の至る所に、ランダムアクセスメモリ（random access memory; RAM）43、読み取り専用メモリ（read only memory; ROM）45、およびいくつかの実施形態では、種々のプログラム10Cが格納される図示するメモリカード47等の着脱式メモリ等の、種々のメモリが存在する。UE10内のこれらの構成要素の全ては、通常、バッテリ49等の携帯型電源によって電力供給される。
【００５９】
前述のプロセッサ38、40、42、44、46、50は、UE10またはBTS12またはBSC14において別々のエンティティとして具体化される場合、メインプロセッサ10A、12A、または14Aに対してスレーブとして動作してもよく、メインプロセッサ10A、12A、または14Aは、それらに対してマスターとして動作してもよい。本発明の1つの特定の実施形態では、BBチップ42は、範囲の制限無しで正確な測定結果を配信し、メインプロセッサ10Aは、信号伝達メッセージを構築する。この段階で、メインプロセッサは、定められた数のコードドポイントや、それに関連するステップサイズや閾値に係るマッピングに関する、ルールを実装しうる。しかし、別の実施形態では、これらの機能をBBやメインプロセッサに置かれる必要はなく、複数の様々なチップやメモリに置かれてもよい。これらのチップやメモリは、図4Bに関して前述した機能のいくつかを組み合わせる別のプロセッサに配されてもよい。図4Bのこれらの種々のプロセッサのうちのいずれかまたは全ては、プロセッサに内蔵されているか、またはプロセッサから分離されていてもよい種々のメモリのうちの1つ以上にアクセスする。また、ピコネットよりも広いネットワーク上の通信を対象とする同様の機能特定構成要素（例えば、構成要素36、38、40、42〜45、および47）は、アクセスノード12の例示的実施形態にも配置されてもよく、アクセスノード12は、図4Bに示す2つのアンテナではなく、タワー・マウント・アンテナのアレイであってもよい。
【００６０】
上述の種々のチップ（例えば、38、40、42等）を、上述よりも少ない数になるように組み合わせてもよく、最も小型の事例では、単一チップ内に物理的に全てを具体化してもよいことに留意されたい。
【００６１】
図5は、以下の段落において詳述するように、本発明の例示的実施形態に従う、方法の動作と、コンピュータプログラム命令の実行の結果とを図示する論理フロー図である。前述基づくと、本発明の例示的実施形態は、次のような方法、装置、およびコンピュータプログラムを提供することが明らかである。すなわち：
【００６２】
近隣セル測定値の集合のうちの個々の測定値を個々のコードポイントに関連付ける。ただし、前記コードポイントは閾値に関連する（ブロック502）。
【００６３】
前記測定値が関連付けられる前記コードポイントを測定報告に含める（ブロック504）。
【００６４】
前記測定報告は、さらなる近隣セルの測定報告に関連付けられる既定の閾値に達しないがすぐ近い追加のコードポイント（ブロック504a）か、動的に決定されるステップサイズを定義する既定の閾値を上回るコードポイント（ブロック504b）のうちの少なくとも1つを含む。
【００６５】
上にまとめたUEの観点からの例示的実施形態のさらなる実施形態では、測定報告は、既定の閾値に達しないがすぐ近い追加のコードポイント（例えば、コードポイント「0」）と、動的に決定されたステップサイズにより定義された既定の閾値を上回るコードポイントとの両方を含む。
【００６６】
上記段落のいずれかにおいてまとめられたUEの観点からのさらなる実施形態では、追加のコードポイントは、（ブロック506に記載されるように、）固定であるか、または測定報告の送信先であるサービングセルから受信されるか、または既定の閾値を上回るコードポイントについて動的に決定されたステップサイズと同一であるステップサイズを有する。
【００６７】
上記段落のいずれかにおいてまとめられたUEの観点からのさらなる実施形態では、測定報告は、測定報告における全ての他のコードポイントと比較して既定の閾値を最も上回り（および上記測定値の集合のいずれかに関連して最も強い信号の測定に関連付けられ）、かつ上記動的に判断されたステップサイズよりも大きいステップサイズを有するさらなるコードポイント（参照：ブロック58"例.コードポイント「７」"）をさらに含んでもよい。図3に示すような別の例示的実施形態では、最小コードポイントもまた、異なるステップサイズ302を有してもよい
【００６８】
上記段落のいずれかにおいてまとめられたUEの観点からのさらなる実施形態では、動的に決定されたステップサイズは、一連の測定報告に基づいて、および最も強い信号の測定に基づいて、UEにおいて判断される。本実施形態に対する代替実施形態では、ブロック510に記載のように、動的に決定されたステップサイズは、測定報告の送信先であるサービングアクセスノードからUEによって受信される。このステップサイズは、一連の可能なステップサイズ（例えば、2dBおよび3dB）からのものであってもよい。
【００６９】
上記段落のいずれかにおいてまとめられたUEの観点からのさらなる実施形態では、測定報告は、既定の閾値に達しないがすぐ近い追加のコードポイントおよび既定の閾値を上回るコードポイントのみに制限されるコードポイントを含む。
【００７０】
上記段落のいずれかにおいてまとめられたUEの観点からのさらなる実施形態では、UEは、アイドルモードとは対照的であるアクティブモードにある。
【００７１】
上記段落のいずれかにおいてまとめられたUEの観点からのさらなる実施形態では、測定報告の送信先であるサービングセルから受信した信号伝達値が存在する。UEは、この信号伝達値から既定値を判断する。具体的な実施形態では、この信号伝達値は、専用のシグナリングを介して（例えば、サービングセルから受信したMEASUREMENT INFORMATIONメッセージを介して。ブロック512参照）受信される。ある具体的な実施形態では、受信した値は、既定値（例えば、セル再選択閾値またはハンドオーバ閾値）であり、別の実施形態では、この受信した値は、複数のコードポイントのうちの1つの境界値またはノミナル値であってもよい。UEは、受信した値からオフセットすることによって、既定値（例えば、ハンドオーバ/セル再選択値）を判断する。信号伝達値/閾値と既定の閾値（実際のハンドオーバ/セル再選択閾値）との間のオフセットは、図3に図示され、図3では、信号伝達/閾値は301'であってもよく、ハンドオーバ/セル再選択閾値は、信号伝達閾値301'からオフセットされる301であってもよい。
【００７２】
上記段落のいずれかにおいてまとめられたUEの観点からのさらなる実施形態では、測定報告は、測定報告が取得された中心周波数に関連する。本実施形態の変形例では、ブロック514に記載されるように、測定報告の送信先であるサービングセルから、動的に決定されたステップサイズ、既定の閾値、および追加のコードポイントのステップサイズのうちの少なくとも1つが受信される。
【００７３】
上記段落のいずれかにおいてまとめられたUEの観点からのさらなる実施形態では、UEは、ブロック516に示すように、その測定結果が、上記パラメータ（ステップサイズ、閾値等）により規定されたように、コードポイントのうちの1つにより規定された領域内にあるその測定報告のみを含む。
【００７４】
上記段落のいずれかにおいてまとめられたUEの観点からのさらなる実施形態では、近隣セルは、GERANシステムの少なくとも1つのアクセスノードと、E-UTRANシステムの少なくとも1つのアクセスノードとを含み、測定報告においてコードポイントに関連付けられた近隣セルの全ては、UEのローカルメモリに格納されたブラックリストに存在しないことに基づいて、測定報告に含めるように選択される。
【００７５】
前述の説明に基づくと、本発明の例示的実施形態によれば、サービングアクセスノード（例えば、GERAN BTS）またはその構成要素の観点から、図６に示されるように、次のような方法、装置、およびコンピュータプログラムが提供されることが明らかである。すなわち：
【００７６】
近隣セル測定値の集合のうちの個々の測定値に各々が関連付けられる一連のコードポイントを含む測定報告を受信する（ブロック602）。コードポイントは既定の閾値に関連する。測定報告は、さらなる近隣セルの測定報告に関連付けられる既定の閾値に達しないがすぐ近い追加のコードポイント、または、動的に決定されるステップサイズにより定義された既定の閾値を上回るコードポイントの少なくともいずれかを含む。
【００７７】
測定報告の送信元であるUEのハンドオーバのために、測定報告に基づいて、近隣セルのうちの1つを選択する（ブロック604）。
【００７８】
上記にまとめられたアクセスノードの観点からの例示的実施形態のさらなる実施形態では、測定報告は、既定の閾値に達しないがすぐ近い追加のコードポイント（例えば、コードポイント「0」、ブロック604a参照）と、動的に決定されたステップサイズにより規定された既定の閾値を上回るコードポイント（ブロック604b）との両方を含み、追加のコードポイント（例えば、コードポイント「0」）に関連付けられた近隣セルは、UEのハンドオーバまたはセル再選択のための選択から一時的に除外される（ブロック604c）が、全ての他の報告されたコードポイントについてと同様に、アクセスノードにおける連続的な測定報告に関連する平均化プロセスにおいてさらに考慮される。
【００７９】
上記段落のいずれかにおいてまとめられたアクセスノードの観点からのさらなる実施形態では、追加のコードポイントは、アクセスノードからUEに送信される（ブロック606）ステップサイズを有する。このステップサイズは、ステップサイズの候補（例えば2dBおよび3dB）から選択されてもよい。
【００８０】
上記段落のいずれかにおいてまとめられたアクセスノードの観点からのさらなる実施形態では、測定報告は、測定報告における全ての他のコードポイントと比較して既定の閾値を最も上回り（および上記測定値の集合のいずれかに関連して最も強い信号の測定に関連付けられ）、かつ上記動的に決定されたステップサイズよりも大きいステップサイズを有するさらなるコードポイント（例えば、コードポイント「7」）をさらに含む。この場合、さらなるコードポイントに関連付けられた近隣ノードは、ハンドオーバまたはセル再選択に適切であると判断される（ブロック608）か、または複数のセルがこのコードポイントを割り当てられる場合に適切な候補であると判断される。図3に示すような別の例示的実施形態では、最小コードポイントもまた、異なるステップサイズ302を有してもよい
【００８１】
上記段落のいずれかにおいてまとめられたアクセスノードの観点からのさらなる実施形態では、動的に決定されたステップサイズは、アクセスノードによって決定され、UEに伝達される（ブロック610）。
【００８２】
上記段落のいずれかにおいてまとめられたアクセスノードの観点からのさらなる実施形態では、アクセスノードによって、測定報告の送信元であるUEに送信された信号伝達値が存在し、具体的な実施形態では、この信号伝達値/閾値は、専用の信号伝達を介して（例えば、アクセスノードから送信されたMEASUREMENT INFORMATIONメッセージを介して、ブロック612参照）送信される。1つの具体的な実施形態では、信号伝達値は既定値自体（例えば、セル再選択閾値またはハンドオーバ閾値）であり、別の実施形態では、この信号伝達値は、コードポイントのうちの1つの境界値またはノミナル値であってもよい。既定値（例えば、ハンドオーバ/セル再選択値）は、信号伝達値からオフセットされる値となる。信号伝達値/閾値と既定の閾値（実際のハンドオーバ/セル再選択閾値）との間のオフセットは、図3に図示され、図3では、信号伝達/閾値は301'であってもよく、ハンドオーバ/セル再選択閾値は、信号伝達閾値301'からオフセットされる301であってもよい。
【００８３】
上記段落のいずれかにおいてまとめられたアクセスノードの観点からのさらなる実施形態では、測定報告は、測定報告が関連する中心周波数に関連する。本実施形態の変形例では、測定報告を受信する前に、アクセスノードは、測定報告の送信元であるUEに、動的に決定されたステップサイズ、既定の閾値、および追加のコードポイントのステップサイズのうちの少なくとも1つを送信する（ブロック614）。
【００８４】
上記段落のいずれかにおいてまとめられたアクセスノードの観点からのさらなる実施形態では、アクセスノードは、測定報告の送信元であるUEに、測定報告を受信する前に、近隣セルのブラックリストを送信する。この測定報告は、送信されたブラックリスト上の任意のセルに関連付けられたコードポイントを除外する。
【００８５】
図5〜図6に示す種々のブロックは、方法ステップとして、および/またはコンピュータプログラムコードの動作から生じる処理として、および/または関連する機能を実行するように構築された連結された複数の論理回路素子として考えられてもよい。
【００８６】
概して、種々の例示的実施形態は、ハードウェアもしくは特殊用途回路、ソフトウェア、論理、またはそれらの任意の組み合わせにおいて実装されてもよい。例えば、いくつかの特徴は、ハードウェアにおいて実装されてもよいが、他の特徴は、コントローラ、マイクロプロセッサ、または他のコンピューティング機器によって実行されうるファームウェアまたはソフトウェアによって実装されてもよく、また本発明はそれらに限定されない。本発明の例示的実施形態の種々の側面について、ブロック図として、フローチャートとして、またはいくつかの他の図的表現を使用して図示および説明されうるが、同時に、本明細書に説明するこれらのブロック、装置、システム、技法、または方法が、非限定的例として、ハードウェア、ソフトウェア、ファームウェア、特殊用途回路もしくは論理、汎用ハードウェアもしくは制御器もしくはコンピューティング機器、またはいくつかのそれらの組み合わせにおいて実装されてもよいことを十分理解されたい。
【００８７】
したがって、本発明の例示的実施形態の少なくともいくつかの側面が、集積回路チップやモジュール等の種々の構成要素において実施されてもよいこと、ならびに本発明の例示的実施形態が、集積回路として具体化される装置において実現されてもよいことを理解されたい。これら1つまたは複数の集積回路は、本発明の例示的実施形態に従って動作するように構成可能である1つまたは複数のデータプロセッサ、1つまたは複数のデジタルシグナルプロセッサ、ベースバンド回路、および無線周波数回路のうちの少なくとも1つ以上を具体化するための回路（ならびにファームウェア）を備えてもよい。
【００８８】
本発明の前述の例示的実施形態に対する種々の修正および適合は、添付の図面とともに前述の説明をよく考慮することにより、当業者により明らかになるだろう。そして、あらゆる修正は、依然として本発明の非限定的かつ例示的な実施形態の範囲内にある。
【００８９】
例えば、GERANシステムおよびE-UTRAN（UTRAN-LTE）システム間の相互作用に即して例示的実施形態について上述しているが、本発明の例示的実施形態が、これらの特定のタイプの無線通信システム間の相互作用のみとの使用に限定されないこと、および本発明の例示的実施形態を使用して、例えば、WLAN、UTRAN、GSM単独または別の異なる通信システムとの相互作用等の他の無線システムにおいて利益を得られうることを理解されたい。
【００９０】
用語の「接続」、「連結」、または任意のその変形が、2つ以上の要素の間の直接的または間接的な任意の接続または連結を意味し、「接続」または「連結」される2つの要素の間に1つ以上の中間要素の存在を包含してもよいことに留意されたい。要素間の連結または接続は、物理的、論理的、またはそれらの組み合わせであることが可能である。本明細書において用いるように、2つの要素は、1つ以上のワイヤ、ケーブル、およびプリント電気接続の使用によって、ならびにいくつかの非限定的かつ非包括的な例として、無線周波数領域、マイクロ波領域、および光（可視および不可視の両方）領域における波長を有する電磁エネルギー等の電磁エネルギーの使用によって、「接続」または「連結」されると考えられてよい。
【００９１】
さらに、記述されたパラメータに使用された種々の名称（例えば、コードポイント、BSIC、RSRP、RSRQ等）は、これらのパラメータが、任意の適切な名称によって識別されてもよいため、いかなる点においても限定するものとして意図されない。さらに、本発明の種々の非限定的かつ例示的な実施形態の特徴のうちのいくつかは、他の特徴に付随して使用することなしに利益を得るように使用されてもよい。したがって、前述の説明は、本発明の原理、教示、および例示的実施形態の単なる例証として考えられるべきであり、それらを限定するものではない。
【図１】
0005600682.tif 000002
【図２】
0005600682.tif 000003
【図３】
0005600682.tif 000004
【図４Ａ】
0005600682.tif 000005
【図４Ｂ】
0005600682.tif 000006
【図５】
0005600682.tif 000007
【図６】
0005600682.tif 000008